(57)【要約】      （修正有）【課題】トイレにおける床は常に尿で汚染されている、アサガオを使用する人は前に使用した人の尿等の汚物を踏みながら使用することになり、汚物で汚染された靴底で歩き回ることによって、更にビールスや耐性菌を拡散させるので不衛生であった。トイレの床面を清潔に保つ装置を提供する。【解決手段】回転プレート１がセンサー５により制御され回転する、アサガオ１１を使用して放尿が終わった人が、立ち去ると回転プレート１が回転する。回転プレート１には表面に接触するワイパー部２が設置されているので、回転プレート１が回転すると回転プレート１の上部表面に付着した尿４や汚物がふき取られ、同時にワイパー部２にしみこまされた消毒殺菌剤により清潔に保つ。【選択図】図１
2009183314.tif 000002
【特許請求の範囲】
【請求項１】
トイレ床洗浄装置においてモーターで回転する回転プレートが有りその上にワイパー部が接触して固定されている。回転プレート表面は回転しながらワイパー部に接触しこすれて回転プレートの上に落下した尿や汚染物がふき取られるトイレ床洗浄装置。
【請求項２】
請求項１においてセンサーやスイッチにより人がトイレ床洗浄装置の上に立つと、それをきっかけとして人が離れた時モーターを使って回転プレートを回転するようにしたトイレ床洗浄装置。
【請求項３】
請求項１においてふき取り部が複数あり回転プレートがタイマーにより人が離れた時一定時間だけ回転するようにした、トイレ床洗浄装置。
【請求項４】
請求項１においてワイパー部に殺菌液や消毒剤が含まれて回転プレートを清潔にするトイレ床洗浄装置。
【発明の詳細な説明】
【０００１】本発明は、トイレの床に設置する機器において、床を自動的に清潔に保つための機器に関する。
【背景技術】
【０００２】従来床を清潔にする技術は自動掃除ロボットなどがブラシを回転させてセンサーを使い隅々まで掃除するものがあった。
しかし、掃除という単純な目的に対して、掃除ロボットは高度なコンピュウターに制御された複雑で高度なハイテク機器であった。【０００３】その機器は高価であり大きく、しまう場所を割り当てるのにも困難であった。
【発明の開示】
【発明が解決しようとする課題】
【０００４】上記のごとく自動掃除ロボットは、電源、コスト、置き場所、メンテナンス、高価で盗まれる、など実用化には困難であった。【０００５】このため、男子トイレの床は常に汚染されている。
男性排尿器は棒状であり尿が終わった時それを振る、したがって尿は常に便器の周りに落下する。
トイレの床が常に汚染していることは、鳥インフルエンザ等ビールスによる社会的危機の恐れがある現在、おおきな課題である。
病院では男子トイレで、靴のそこにビールスや耐性菌が付着したまま人が歩き回り汚染を院内の全体に拡散させる。【０００６】また、汚染が拡散した床に患者が誤って枕などを落とし、それを拾い、使用する。
たまたまうつぶせになった時に汚染された枕に口が接触してわずかなビールスでも口に入れば命にかかわる。
あらゆる施設には、男子トイレが有り、その床が汚染されていることは、社会的問題である。【０００７】本考案はこのような点に鑑みてなされたものであり、その目的は、常に自動で床に落ちた汚物や、尿をふき取り、殺菌消毒をすることにある。
さらに、安価でその目的を達成することにある。
【課題を解決するための手段】
【０００８】上記の目的を達成する本発明のトイレ床洗浄装置はトイレの床に置かれる。
回転する回転プレートが有りそれを、モーターで回転させる。その上にワイパー部が固定されていて。
回転プレート表面はワイパー部にこすられて回る。【０００９】自動車のワイパーが雨をガラス面から取り除くように回転プレートの表面の汚物を取り除く。
ワイパー部に液体を含むことができるものを用いれば消毒液を含ませて消毒ができる。
尿はふき取られると同時にワイパー部に染みこんでいる消毒殺菌液で無害化される。
【発明を実施するための最良の形態】
【００１０】以下、本発明の実施の形態を図面に基ずき詳細に説明する。【００１１】図１から図４は本発明の第１の実施の形態に係り、図１はその外観斜視図、
図２はその横側面図、図３は平面図、図４はモーター部分の断面図、
図５はモーター部分が回転プレートの外周部にありローラーを使う機構の斜視図。【００１２】図１、図２に示すように回転プレート１の上に汚物を取り除くワイパー部２が設置されている。
モーター部３の上部には対人センサー５が作動している。
人が近寄ってきたり、回転プレートの上に人が乗った時は、回転プレート１は回転をとめる。【００１３】回転プレート１から人が離れるとモーターが動き出し回転プレートが回転する。
回転プレート１の上に落下した尿４は回転プレート１とともに回転し、やがてワイパー部２により、ふき取られる。
この時、ワイパー部２には殺菌消毒剤が含まれているので回転プレートは清潔に保たれる。【００１４】人が回転プレートを離れた時どの位の時間回転し清浄するかは、タイマーによって調整できる。
ワイパー部は１箇所から複数個所にするか、状況により決める。
人が頻繁に使用する状況下では多数ワイパー部を取り付ける必要がある。【００１５】図２はワイパー部２を２箇所付けている。
トイレ床洗浄装置はセンサーにより作動させるがスイッチによって作動させることも出来る、すなわち、回転プレートの下にスイッチをつけておけば、回転プレート１に乗った時にスイッチが入る。
次に人が回転プレートを降りた時、スイッチが切れる、これを信号としてタイマー回路を作動させると、人が離れた時一定時間回転プレートを回すことができる。【００１６】図３は平面図である。人の靴６はトイレではハの字上になる。
その間の前部に多く尿４は落下する。
通常はこれが溜まっていきアサガオ１１の側に不潔で立てない状況となる。【００１７】人が、トイレ床洗浄装置の回転プレートを離れるとセンサー５によって感知されて回転プレートが回転し始める。
回転プレートの上に落下した尿４などの汚染物は回転プレートと、ともに回転してワイパー部２の下をこすられて通過する、尿４は吸い込まれて取り除かれる。【００１８】この装置では酔っ払いによる、嘔吐ぶつの取り除きでも効果を発揮する。【００１９】図４はモーター部３の横断面図である。
モーター部３はセンサー５により制御される。
モーター軸７はブラケット１３で回転プレート１と固定される。
回転プレート１はベアリング１２に支持された、回転センター９により床８から離れてベアリングにより支持されるので人がいない時、回転プレートはスムーズに回転する。【００２０】図５はモーター部３が回転プレート３の外周におかれたトイレ床洗浄装置の斜視図である。
回転プレートはその外周部に設置されて動トイレ床洗浄装置である。
ゴムローラー４で回転プレートを回転させる。
【実施例】
【００２１】回転プレート１は例えば５０ｃｍの直径の回転プレートであり。
中心部にモーター３が配置されているが、上部に対人センサー５が付いている。
人１０が近くなるとスタンバイモードになり、人１０がいつ離れるか感知している。
人１０が放尿が終わり離れるとそれを感知して、回転プレートが回転し始める。【００２２】尿４が回転プレート１の上に有れば、ワイパー部２によりふき取りと消毒が行われて清潔な回転プレート１が出てくるので、常に清潔な立場が得られる。
モーターは減速ギアモーターで直径３７ｍｍ減速比３０００分の１、毎分２回転が最適である。【００２３】回転プレート１は耐食性のあるものが、求められる。
モーターは中心部に置くことも、外周部に置くことも出来るが、設置条件、温度使用頻度、病院、ホテルなど条件により設定する。
【産業上の利用可能性】
【００２４】本発明は、トイレの床を常に清潔にする装置として、ビールス、耐性菌、の蔓延を防ぎ、人々が健康に生活するために、利用できる装置である。
【図面の簡単な説明】
【図１】本発明の第１の実施形態に係る外観斜視図である。
【図２】図１における横側面図。
【図３】図１における平面図
【図４】図１におけるモーター部分の断面図。
【図５】モーター部分が回転プレートの外周部にありローラーを使う構造の斜視図。
【符号の説明】
１    回転プレート                                      １２    ベアリング
２    ワイパー部                                        １３    ブラケット
３    モーター部                                        １４    ローラー
４    尿
４Ａ  ワイパー部に染みこんでいる尿
５    センサー
６    足
７    モーター軸
８    床
９    回転センター
１０  人
１１  アサガオ
【手続補正書】
【提出日】平成19年5月14日(2007.5.14)
【手続補正１】
【補正対象書類名】図面
【補正対象項目名】全図
【補正方法】追加
【補正の内容】
【図１】
2009183314.tif 000003
【図２】
2009183314.tif 000004
【図３】
2009183314.tif 000005
【図４】
2009183314.tif 000006
【図５】
2009183314.tif 000007